(57)【要約】【課題】入力信号に対して出力信号に遅れを生じさせることのない同軸ケーブルを提供する。【解決手段】信号伝送用同軸ケーブル１は、軸心を共有する内部導体２と外部導体３との間にポリエチレン等の絶縁体製の内部被覆４を介在させると共に、前記外部導体３の表面を外部被覆（外被）５で覆うことにより形成されている。前記内部導体２は、第１〜第７の導電線２ａ〜２ｇを、ケーブルの軸心に対して平行に配置されている。第１の導電線２ａは芯線としてケーブルの軸心に配置され、第２〜第７の導電線２ｂ〜２ｇは外層線として前記第１の導電線２ａを囲むように該第１の導電線２ａの外周に並列に配置されている。【選択図】図１
2006228626.tif 000002
【特許請求の範囲】
【請求項１】
内部導体が複数の導電線で構成されている信号伝送用同軸ケーブルであって、前記内部導体を構成する複数の導電線は、ケーブルの軸心に対して平行に配置されていることを特徴とする信号伝送用同軸ケーブル。
【請求項２】
前記内部導体を構成する複数の導電線は、ケーブルの軸心に配置された第１の導電線と、該第１の導電線を囲んで該第１の導電線と平行に配置された第２〜第ｎの少なくとも３本以上の導電線と、からなっていることを特徴とする請求項１に記載の信号伝送用同軸ケーブル。
【請求項３】
前記内部導体を構成する第１〜第ｎの導電線は、略同一素材により同一の太さに形成されていて、前記第１の導電線の周囲には第２〜第７の６本の導電線が配置されていることを特徴とする請求項２に記載の信号伝送用同軸ケーブル。
【請求項４】
前記内部導体を構成する第１〜第ｎの導電線は、無酸素銅で形成されていることを特徴とする請求項１に記載の信号伝送用同軸ケーブル。
【請求項５】
複数の同軸ケーブルと、これら複数の同軸ケーブルを束ねた結束体と、該結束体の外周に設けられた外部シールド部と、該外部シールド部を覆う外部被覆部を備えた信号伝送用ケーブルであって、前記複数の同軸ケーブルは、内部導体が複数の導電線で構成されていて、前記内部導体を構成する複数の導電線は、前記同軸ケーブルの軸心に対して平行に配置されていることを特徴とする信号伝送用ケーブル。
【請求項６】
前記複数の同軸ケーブルは、ＲＧＢの色信号用のケーブルであることを特徴とする請求項５に記載の信号伝送用ケーブル。
【請求項７】
前記結束体の内側には前記複数の同軸ケーブルと共に制御用ケーブルが配置されていることを特徴とする請求項５に記載の信号伝送用ケーブル。
【発明の詳細な説明】
【技術分野】
【０００１】
本発明は信号伝送に使用して好適な同軸ケーブルにするに関する。
【背景技術】
【０００２】
信号伝送に使用する同軸ケーブルは、図１３に示すように、軸心を共有する内部導体１０１と外部導体１０２との間にポリエチレン等の絶縁体製の内部被覆１０３を介在させると共に、前記外部導体１０２の表面を外部被覆（外被）１０４で覆うことにより形成されている。前記外部導体１０２は、シールドとしての機能を兼ねている。
【０００３】
ところで、前記内部導体１０１を流れる電流は、直流ならば導体断面に略一様に分布するが交流の場合は、周波数の増加と共に導体の表面に集中し、導体内部の電流密度が減る現象は所謂「表皮効果」（ｓｋｉｎ  ｅｆｆｅｃｔ）として広く知られている。
【０００４】
前記表皮効果を有効に利用するべく、図１４に示すように、内部導体１０１を撚線または単線の芯線部１１１と、該芯線部１１１の外周を覆う外層部１１２の２層構造とし、前記芯線部１１１と外層部１１２の材質（素材）を使い分け、例えば芯線部１１１を引張強さ３００ＭＰａ以下の銅素線で構成し、外層部１１２を引張強さ３６０ＭＰａ以上の複数の銅素線１１３の撚線で構成することにより、高音域の信号を前記表皮効果で引張強さ３６０ＭＰａ以上の銅素線の撚線で構成された外層部１１２で伝達させることにより高解像度の画像や音等を得ることができようにし、また、低音域の信号は前記芯線部１１１の断面積を十分に確保することにより（芯線部１１１の導体抵抗を十分に小さくすることにより）、低音域に適した材質を伝わるようにしたオーディオ機器接続用ケーブルが開発されている。（例えば、特許文献１）
【特許文献１】特開平７−５７５４３号公報（段落０００４、段落０００５、段落００１４、段落００１５等）
【発明の開示】
【発明が解決しようとする課題】
【０００５】
ところで、従来のケーブル１０１は、図１５に示すように、芯線部１１１を中心にして、その周囲に複数の銅素線１１３を巻き付けて外層部１１２を形成していたために、図１６に示すように、芯線部１１１の長さＬ１に対して外層部１１２を構成する複数の銅素線１１３の長さＬ２が長くなる（Ｌ１＜Ｌ２）。
【０００６】
高音域（高周波）の信号は前記表皮効果で前記外層部１１３を構成する複数の銅素線１１２を流れるために、図１７に示すように、入力信号に対して出力信号に遅れが生じ、正確な出力信号を得ることができないという問題点があった。
【０００７】
本発明は、入力信号に対して出力信号に遅れを生じさせることのないケーブルを提供することを目的になされたものである。
【課題を解決するための手段】
【０００８】
本発明は、内部導体が複数の導電線で構成されている信号伝送用の同軸ケーブルにおいて、前記内部導体を構成する複数の導電線を、ケーブルの軸心に対して平行に配置した。特に、前記内部導体を構成する複数の導電線を、ケーブルの軸心に配置された第１の導電線（芯線）と、該第１の導電線を囲むように該第１の導電線の外周に並列に配置された第２〜第ｎの導電線（外層線）と、で構成した。
【０００９】
前記内部導体を構成する第１〜第ｎの導電線を、略同一素材により同一の太さに形成し、前記第１の導電線（芯線）の周囲には第２〜第７の６本の導電線（外層線）を配置した。前記内部導体を構成する第１〜第ｎの導電線を無酸素銅で形成した。
【発明の効果】
【００１０】
内部導体が複数の導電線で構成されている信号伝送用同軸ケーブルにおいて、前記内部導体を構成する複数の導電線を、ケーブルの軸心に対して平行に配置したので、前記内部導体を構成する複数の導電線の軸心方向の長さは全て均一になり、前記内部導体を構成する複数の導電線間に信号の伝達の遅れが発生するのを防止する。特に、前記内部導体を構成する複数の導電線を、ケーブルの軸心に配置された第１の導電線（芯線）と、該第１の導電線を囲むように該第１の導電線の外周に並列に配置された第２〜第ｎの導電線（外層線）と、で構成し、前記第１の導電線（芯線）と第２〜第ｎの導電線（外層線）を同じ長さに形成したので、表皮効果により前記第２〜第ｎの導電線（外層線）を流れる高音域（高周波）の出力信号と前記第１の導電線（芯線）を流れる低音域（低周波）の出力信号との間に遅れが生じるのを防止し、純度、解像度の高い出力信号を得ることができる。
【発明を実施するための最良の形態】
【００１１】
図１は本発明の信号伝送用同軸ケーブル１の要部を示す斜視図、図２は図１のＡ−Ａ断面図である。信号伝送用同軸ケーブル１は、軸心を共有する内部導体２と外部導体３との間にポリエチレン等の絶縁体製の内部被覆４を介在させると共に、前記外部導体３の表面を外部被覆（外被）５で覆うことにより形成されている。前記外部導体５は、シールドとしての機能を兼ねている。前記内部被覆４は、所定のインピーダンスを確保するために所定の肉厚に形成されている。
【００１２】
前記内部導体２は、第１〜第ｎ（実施例では第７）までの複数の導電線２ａ〜２ｇをケーブルの軸心に対して平行に配置することにより構成されている。
【００１３】
前記第１の導電線２ａは、ケーブルの軸心に配置されていて、芯線部を構成している。また、前記第２〜第７の導電線２ｂ〜２ｇは、前記第１の導電線２ａを囲んで該第１の導電線２ａと平行に配置されていて、外層部を構成している。
【００１４】
従って、図３に示すように、芯線部を構成する前記第１の導電線２ａの長さＬ１と、外層部を構成する前記第２〜第７の導電線２ｂ〜２ｇの長さＬ２は同一（Ｌ１＝Ｌ２）になり、図４に示したように、入力信号に対して出力信号に遅れを発生させずに、正確な出力信号を得ることができるのである。なお、上記実施例では、前記第１〜第７の導電線２ａ〜２ｇを、無酸素銅等の同一素材により同一の太さに形成した場合を示したが、前記第１の導電線２ａと第２〜第７の導電線２ｂ〜２ｇの素材を変えて、前記第１の導電線２ａを高音域の信号を伝播しやすい素材で形成する一方、第２〜第７の導電線２ｂ〜２ｇの素材を低音域の信号を伝播しやすい素材で形成するしてもよい。また、前記第１の導電線２ａと第２〜第７の導電線２ｂ〜２ｇの太さを変え、前記第１の導電線２ａを第２〜第７の導電線２ｂ〜２ｇよりも太くし、或いはこれとは逆に前記第１の導電線２ａを第２〜第７の導電線２ｂ〜２ｇよりも細くしてもよい。また、外層部を構成する導電線の数も実施例の６本に限定されず６本未満でも７本以上であってもよい。
【００１５】
図５〜図７は前記同軸ケーブル１の製造方法、特に内部導体２および内部被覆４の製造方法の一例を示す説明図である。図５に示すように、前記第１〜第７の導電線２ａ〜２ｇをそれぞれボビン１１から導電線収束ノズル１２に送り込む。前記導電線収束ノズル１２内においては、図６に示すように、第１の導電線２ａを中心にして、その周囲に第２〜第７の導電線２ｂ〜２ｇが配置される。そして、図７に示すように、前記第１〜第７の導電線２ａ〜２ｇにテンションを掛けた状態で溶融樹脂１３が充填された樹脂槽１４内を通したのち引出口１５から引き出して冷却槽１６で冷却することにより、図１に示すように、外表面を内部被覆４で覆われた内部導体２が構成される。前記内部被覆４で外表面を覆われた内部導体２は、複数のガイドローラ１７ａを介して巻き取りボビン１７に巻き取られる。前記樹脂槽１４にはポッパー１８から溶融樹脂１３が供給される。
【００１６】
前記外表面を内部被覆４で覆われた内部導体２は、後の工程で前記内部被覆４の表面に銅線等を編組することにより形成した外部導体３を巻き付け、更に外部導体３の表面を外部被覆（外被）５で覆うことにより本発明の同軸ケーブル１が形成される。
【００１７】
図８は前記同軸ケーブル１を３本使用して形成されたＨＤＴＶ用のコンポーネント・ビデオ・ケーブル２１の要部を示す斜視図、図９は図８のＡ矢視方向の端面図である。前記コンポーネント・ビデオ・ケーブル２１は、前記３本の同軸ケーブル１と各種の制御用ケーブル２２、例えばハイビッジョン信号のクラス分け伝達したりするケーブルが収容されている。
【００１８】
前記３本の同軸ケーブル１と各種の制御用ケーブル２２は、紙テープ等の外部テープ（結束体）２３により束ねられている。そして、前記外部テープ２３の外周には外部シールド部２４が設けられ、該外部シールド部２４は外部被覆部２５により被覆されている。また、前記外部被覆部２５の外周には外シース部２６が設けられている。前記外シース部２６は、ナイロン等の合成樹脂により網状に形成されていて補強と不必要な振動がケーブルに作用するのを阻止する。前記３本の同軸ケーブル１は、ＲＧＢの三原色の色信号ケーブルとしてそれぞれ使用される。
【００１９】
図１０に示すように、前記コンポーネント・ビデオ・ケーブル２１の一端部にはＤ端子２７が接続され、他端部には小型Ｄ端子２８が接続されている。そして、図１１に示すように、前記コンポーネント・ビデオ・ケーブル２１は、前記Ｄ端子２７と前記小型Ｄ端子２８を使用してＨＤＴＶモニター２９とＨＤＴＶビデオカメラ３０を接続したり、或いはＨＤＴＶモニター２９とパーソナルコンピュータを接続したりする場合等に用いられる。なお、図１２（Ａ）に示すように、前記コンポーネント・ビデオ・ケーブル２１の両端部にＤ端子２７を接続してもよい。また、図１２（Ｂ）に示すように、前記コンポーネント・ビデオ・ケーブル２１の一端部にＤ端子２７を接続し、他端部には前記３本の同軸ケーブル１に応じてＲＧＢの３本のＲＣＡピンピラグ３１，３２，３３を接続してもよい。
【図面の簡単な説明】
【００２０】
【図１】同軸ケーブルの要部の斜視図。
【図２】図１のＡ−Ａ断面図。
【図３】第１の導電線（芯線）と第２、第３…の導電線（外層線）の関係を示す説明図。
【図４】入力信号と出力信号の関係を示す説明図。
【図５】内部導体および内部被覆の製造方法の一例を示す説明図。
【図６】導電線収束ノズル部分の断面図。
【図７】内部導体および内部被覆の製造方法の一例を示す断面図。
【図８】同軸ケーブルを使用したコンポーネント・ビデオ・ケーブルの要部の斜視図。
【図９】図８のＡ矢視方向の端面図。
【図１０】一端部にＤ端子を取付け、他端部に小型Ｄ端子を取付けたコンポーネント・ビデオ・ケーブルの斜視図。
【図１１】コンポーネント・ビデオ・ケーブルの使用状態を示す説明図。
【図１２】（Ａ）は両端部にＤ端子を取付けたコンポーネント・ビデオ・ケーブルの説明図、（Ｂ）は一端部にＤ端子を取付け、他端部に３本のＲＣＡピンピラグを取付けたコンポーネント・ビデオ・ケーブルの説明図。
【図１３】従来の同軸ケーブルの斜視図。
【図１４】他の従来の同軸ケーブルの斜視図。
【図１５】芯線部と外層部の撚れ関係を示す説明図。
【図１６】芯線部と外層部の長さ関係を示す説明図。
【図１７】入力信号と出力信号の遅れ関係を示す説明図。
【符号の説明】
【００２１】
１…信号伝送用同軸ケーブル、２…内部導体、２ａ〜２ｇ…第１〜第７の導電線、３…外部導体、４…内部被覆、５…外部導体、2１…コンポーネント・ビデオ・ケーブル、２２…制御用ケーブル、２３…紙テープ等の外部テープ、２４…外部シールド部、２５…外部被覆部、２６…外シース部。
【図１】
2006228626.tif 000003
【図２】
2006228626.tif 000004
【図３】
2006228626.tif 000005
【図４】
2006228626.tif 000006
【図５】
2006228626.tif 000007
【図６】
2006228626.tif 000008
【図７】
2006228626.tif 000009
【図８】
2006228626.tif 000010
【図９】
2006228626.tif 000011
【図１０】
2006228626.tif 000012
【図１１】
2006228626.tif 000013
【図１２】
2006228626.tif 000014
【図１３】
2006228626.tif 000015
【図１４】
2006228626.tif 000016
【図１５】
2006228626.tif 000017
【図１６】
2006228626.tif 000018
【図１７】
2006228626.tif 000019